(57)【要約】【課題】着霜を良好に判定し、かつ消費電力量の低減化を図ること。【解決手段】商品収容庫３の内部に配設された蒸発器２４と、蒸発器２４から冷媒を吸引して圧縮する圧縮機２１と、圧縮機２１で圧縮した冷媒を放熱させる放熱器２２と、放熱器２２で放熱させた冷媒を断熱膨張させて蒸発器２４に送出する膨張機構２３とが冷媒配管２５にて順次接続されて構成され、蒸発器２４にて冷媒を蒸発させることで商品収容庫３の内部空気を冷却する冷媒回路２０と、商品収容庫３の内部温度を検出する庫内温度センサＳ１と、蒸発器２４の温度を検出する蒸発器温度センサＳ２とを備え、冷却運転中において、蒸発器温度が冷却温度Ｔ１以下であって、判定時間経過後における庫内温度差ΔＴが閾値ｔ０以下となる場合、圧縮機２１等の駆動を停止させて蒸発器２４の除霜運転を行う制御部３０を備えている。【選択図】図４
2014085791.tif 000002
【特許請求の範囲】
【請求項１】
商品収容庫の内部に配設された蒸発器と、前記蒸発器から冷媒を吸引して圧縮する圧縮機と、前記圧縮機で圧縮した冷媒を放熱させる放熱器と、前記放熱器で放熱させた冷媒を断熱膨張させて前記蒸発器に送出する膨張機構とが配管にて順次接続されて構成され、前記蒸発器にて冷媒を蒸発させることで前記商品収容庫の内部雰囲気を冷却する冷却手段と、
前記商品収容庫の内部温度を検出する庫内温度検出手段と、
前記蒸発器の温度を検出する蒸発器温度検出手段と
を備えた自動販売機の冷却装置において、
前記冷却手段を駆動させている状態において、前記蒸発器温度検出手段により検出される温度が前記蒸発器が冷却機能を良好に発揮するものとして予め設定された冷却温度以下であって、前記冷却手段の駆動開始時点から予め決められた判定時間経過後における前記庫内温度検出手段により検出される庫内温度と、前記駆動開始時点における前記庫内温度検出手段により検出される庫内温度との庫内温度差が予め設定された閾値以下となる場合、前記冷却手段の駆動を停止させて前記蒸発器の除霜運転を行う制御手段を備えたことを特徴とする自動販売機の冷却装置。
【請求項２】
前記制御手段は、除霜運転を行った後は該除霜運転の終了時点より予め決められた所定時間が経過するまで新たな除霜運転を行うことを禁止することを特徴とする請求項１に記載の自動販売機の冷却装置。
【発明の詳細な説明】
【技術分野】
【０００１】
本発明は、自動販売機の冷却装置に関し、より詳細には、種々の商品を販売する自動販売機に適用される冷却装置に関するものである。
【背景技術】
【０００２】
従来、例えば缶入り飲料やペットボトル入り飲料等の種々の商品を販売する自動販売機においては、商品収容庫に配設された蒸発器により該商品収容庫の内部空気を冷却することで、商品収容庫に収容された商品を冷却している。
【０００３】
このような方式にて商品を冷却すると、蒸発器に霜が付着してしまういわゆる着霜という現象が生じ、蒸発器の冷却能力が低下してしまうことが知られている。
【０００４】
そこで、従来の自動販売機では、１日に例えば３〜６回程度、蒸発器に付着した霜を除去するいわゆる除霜運転を定期的に行うようにしていた。
【０００５】
ところで、除霜運転は、蒸発器に付着した霜を除去するものであるから、商品収容庫の内部温度（庫内温度）を上昇させてしまうものである。そのため、上述したように１日のうち決められた複数の時間帯に定期的に除霜運転を行っていると、実際には蒸発器に着霜していなくて除霜運転が不要の場合にも除霜運転を行ってしまうことがあった。そして、このように除霜運転を行ってしまうと庫内温度も上昇するから庫内温度を再度冷却する運転を行う必要があり、結果的に消費電力量の増大化を招来していた。
【０００６】
これに対して必要な時にだけ除霜運転を行うべく、商品収容庫の庫内温度が所定時間に亘り予め設定された下限設定温度に達しない場合に、着霜が生じたとして除霜運転を行うようにした自動販売機が提案されている（例えば、特許文献１参照）。
【先行技術文献】
【特許文献】
【０００７】
【特許文献１】特開平６−５２４２１号公報
【発明の概要】
【発明が解決しようとする課題】
【０００８】
しかしながら、上述した実施の形態１に提案されている自動販売機では、商品収容庫の庫内温度のみで着霜の有無を判断しているため、実際には着霜が生じずに弁等の不具合により蒸発器への冷媒の供給量が低下している場合、すなわち蒸発器自体が正常に作動していない場合にも着霜が生じているものと判断してしまう虞れがあった。
【０００９】
本発明は、上記実情に鑑みて、着霜を良好に判定し、かつ消費電力量の低減化を図ることができる自動販売機の冷却装置を提供することを目的とする。
【課題を解決するための手段】
【００１０】
上記目的を達成するために、本発明に係る自動販売機の冷却装置は、商品収容庫の内部に配設された蒸発器と、前記蒸発器から冷媒を吸引して圧縮する圧縮機と、前記圧縮機で圧縮した冷媒を放熱させる放熱器と、前記放熱器で放熱させた冷媒を断熱膨張させて前記蒸発器に送出する膨張機構とが配管にて順次接続されて構成され、前記蒸発器にて冷媒を蒸発させることで前記商品収容庫の内部雰囲気を冷却する冷却手段と、前記商品収容庫の内部温度を検出する庫内温度検出手段と、前記蒸発器の温度を検出する蒸発器温度検出手段とを備えた自動販売機の冷却装置において、前記冷却手段を駆動させている状態において、前記蒸発器温度検出手段により検出される温度が前記蒸発器が冷却機能を良好に発揮するものとして予め設定された冷却温度以下であって、前記冷却手段の駆動開始時点から予め決められた判定時間経過後における前記庫内温度検出手段により検出される庫内温度と、前記駆動開始時点における前記庫内温度検出手段により検出される庫内温度との庫内温度差が予め設定された閾値以下となる場合、前記冷却手段の駆動を停止させて前記蒸発器の除霜運転を行う制御手段を備えたことを特徴とする。
【００１１】
また、本発明は、上記自動販売機の冷却装置において、前記制御手段は、除霜運転を行った後は該除霜運転の終了時点より予め決められた所定時間が経過するまで新たな除霜運転を行うことを禁止することを特徴とする。
【発明の効果】
【００１２】
本発明によれば、制御手段が、冷却手段を駆動させている状態において、蒸発器温度が冷却温度以下であって、判定時間経過後における庫内温度と、冷却手段の駆動開始時点における庫内温度との庫内温度差が閾値以下となる場合、冷却手段の駆動を停止させて蒸発器の除霜運転を行うので、蒸発器が良好に冷えていても庫内温度が十分に低下しない状態に限り除霜運転を行うこととなる。つまり、蒸発器が良好に冷却されていないことにより庫内温度が低下しないような蒸発器の着霜とは無関係の状態で着霜運転を行うことがない。また従来のように所定時間毎に除霜運転を強制的に行う場合に比して必要とされる場合に除霜運転を行うことで、不要な除霜運転による庫内温度の上昇を抑制し、消費電力を低下させることができる。従って、着霜を良好に判定し、かつ消費電力量の低減化を図ることができるという効果を奏する。
【図面の簡単な説明】
【００１３】
【図１】図１は、本発明の実施の形態である冷却装置が適用された自動販売機の内部構造を正面から見た場合を示す断面図である。
【図２】図２は、図１に示した自動販売機の内部構造を示すものであり、右側の商品収容庫の断面側面図である。
【図３】図３は、図１に示した自動販売機の冷媒回路、すなわち本発明の実施の形態である冷却装置を構成する冷却手段を概念的に示す概念図である。
【図４】図４は、本発明の実施の形態である冷却装置の特徴的な制御系を模式的に示すブロック図である。
【図５】図５は、図４に示した制御部が実施する除霜運転制御処理の処理内容を示すフローチャートである。
【発明を実施するための形態】
【００１４】
以下に添付図面を参照して、本発明に係る自動販売機の冷却装置の好適な実施の形態について詳細に説明する。
【００１５】
図１は、本発明の実施の形態である冷却装置が適用された自動販売機の内部構造を正面から見た場合を示す断面図である。ここで例示する自動販売機は、本体キャビネット１を備えている。
【００１６】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けられている。この商品収容庫３は、缶入り飲料やペットボトル入り飲料等の商品を所望の温度に維持した状態で収容するためのもので、断熱構造を有している。
【００１７】
図２は、図１に示した自動販売機の内部構造を示すものであり、右側の商品収容庫３の断面側面図である。尚、ここでは右側の商品収容庫３（以下、適宜右庫３ａとも称する）の内部構造について示すが、中央の商品収容庫３（以下、適宜中庫３ｂとも称する）及び左側の商品収容庫３（以下、適宜左庫３ｃとも称する）の内部構造も右庫３ａと略同じような構成である。尚、本明細書における右側とは、自動販売機を正面から見た場合の右方を示し、左側とは、自動販売機を正面から見た場合の左方を示す。
【００１８】
かかる図２に示すように、本体キャビネット１の前面には、外扉４及び内扉５が設けられている。外扉４は、本体キャビネット１の前面開口を開閉するためのものであり、内扉５は、商品収容庫３の前面を開閉するためのものである。この内扉５は、上下に分割されており、上側の扉５ａは商品を補充する際に開閉するものである。
【００１９】
上記商品収容庫３には、商品収納ラック６、搬出機構７及び搬出シュータ８が設けられている。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００２０】
図３は、図１に示した自動販売機の冷媒回路、すなわち本発明の実施の形態である冷却装置を構成する冷却手段を概念的に示す概念図である。ここで例示する冷媒回路２０は、内部に冷媒を封入しており、圧縮機２１、放熱器２２、膨張機構２３及び蒸発器２４を冷媒配管２５にて順次接続して構成されている。
【００２１】
圧縮機２１は、図２にも示すように機械室９に配設されている。機械室９は、本体キャビネット１の内部であって商品収容庫３と区画され、かつ商品収容庫３の下方側の室である。この圧縮機２１は、吸引口を通じて冷媒を吸引し、吸引した冷媒を圧縮して高温高圧の状態（高圧冷媒）にして吐出口より吐出するものである。
【００２２】
放熱器２２は、図２にも示すように圧縮機２１と同様に機械室９に配設されている。この放熱器２２は、通過する冷媒を放熱させるものである。より詳細に説明すると、圧縮機２１で圧縮され、かつ吐出口から吐出されて冷媒配管２５を通じて送出された冷媒を周囲空気と熱交換させて放熱させるものである。
【００２３】
膨張機構２３は、図２にも示すように圧縮機２１及び放熱器２２と同様に機械室９に配設されている。この膨張機構２３は、例えばキャピラリーチューブや膨張弁により構成してあり、通過する冷媒を減圧して断熱膨張させるものである。
【００２４】
蒸発器２４は、複数（図示の例では３つ）設けてあり、各商品収容庫３の内部低域であって、背面ダクトＤ（図２参照）の前面側に配設されている。これら蒸発器２４は、通過する冷媒を蒸発させて商品収容庫３の内部空気（内部雰囲気）を冷却するものである。
【００２５】
これら蒸発器２４と膨張機構２３とを接続する冷媒配管２５は、その途中の分配器２６で３つに分岐され、右庫３ａに配設された蒸発器２４（以下、右蒸発器２４ａとも称する）の入口側に、中庫３ｂに配設された蒸発器２４（以下、中蒸発器２４ｂとも称する）の入口側に、左庫３ｃの内部に配設された蒸発器２４（以下、左蒸発器２４ｃとも称する）の入口側にそれぞれ接続されている。
【００２６】
また、この冷媒配管２５においては、分配器２６から右蒸発器２４ａ、中蒸発器２４ｂ及び左蒸発器２４ｃのそれぞれに至る途中に電磁弁２７１，２７２，２７３が設けられている。電磁弁２７１，２７２，２７３は、開閉可能な弁体であり、後述する制御部３０から開指令が与えられた場合には開成して冷媒の通過を許容する一方、閉指令が与えられた場合には閉成して冷媒の通過を規制するものである。
【００２７】
右蒸発器２４ａ、中蒸発器２４ｂ及び左蒸発器２４ｃの出口側に接続された冷媒配管２５は、途中の合流点Ｐ１で合流して圧縮機２１に接続されている。
【００２８】
尚、図３中の符号Ｈ、２８、Ｆ１及びＦ２は、それぞれヒータ、内部熱交換器、庫内送風ファン及び庫外送風ファンである。ヒータＨは、中庫３ｂ及び左庫３ｃに配設されており、駆動して通電状態となることにより中庫３ｂ及び左庫３ｃのそれぞれの内部空気を加熱する加熱手段である。内部熱交換器２８は、放熱器２２を通過した高圧冷媒と、蒸発器２４を通過した冷媒（低圧冷媒）とを熱交換させるものである。庫内送風ファンＦ１は、図２にも示すように、各商品収容庫３の内部において蒸発器２４に近接配置してあり、駆動することにより商品収容庫３の内部空気を送風する庫内送風手段である。庫外送風ファンＦ２は、放熱器２２に近接配置してあり、駆動することにより庫外送風ファンＦ２の周囲に外気を通過させるよう送風する送風手段である。
【００２９】
図４は、本発明の実施の形態である冷却装置の特徴的な制御系を模式的に示すブロック図である。この図４に示すように、冷却装置は、庫内温度センサＳ１、蒸発器温度センサＳ２及び制御部３０を備えている。
【００３０】
庫内温度センサＳ１は、各商品収容庫３の内部に配設されており、自身が配設された商品収容庫３の内部温度を検出して、その検出温度を庫内温度信号として制御部３０に出力する庫内温度検出手段である。
【００３１】
蒸発器温度センサＳ２は、各蒸発器２４に配設されており、より詳細には各蒸発器２４における冷媒の通過路となる管路の表面に配設されている。蒸発器温度センサＳ２は、自身が配設された蒸発器２４の温度を検出して、その検出温度を蒸発器温度信号として制御部３０に出力する蒸発器温度検出手段である。
【００３２】
制御部３０は、メモリ４０に予め記憶されたプログラムやデータにしたがって圧縮機２１、電磁弁２７１，２７２，２７３及び庫内送風ファンＦ１を制御するものである。尚、この制御部３０は、自動販売機の基本動作を制御する自販機制御部（図示せず）に組み込まれていても良いし、該自販機制御部とは独立して設けてあっても良い。
【００３３】
ここでメモリ４０には種々の情報が記憶してあり、本発明の特徴的なものとしては、冷却温度情報、判定温度情報、禁止時間情報等が記憶されている。冷却温度情報は、蒸発器２４が冷却機能を良好に発揮する冷却温度Ｔ１（例えば−５℃）に関するものである。判定温度情報は、冷却運転開始時点における庫内温度と、判定時間経過後における庫内温度との庫内温度差ΔＴの閾値ｔ０（例えば３℃）に関するものである。禁止時間情報は、前回の除霜運転の終了時点より新たな除霜運転の開始が禁止される禁止時間（例えば４〜６時間等）に関するものである。
【００３４】
上記制御部３０は、入力処理部３１、比較判定部３２、禁止判定部３３及び出力処理部３４を備えている。入力処理部３１は、庫内温度センサＳ１からの庫内温度信号及び蒸発器温度センサＳ２からの蒸発器温度信号を入力するものである。
【００３５】
比較判定部３２は、入力処理部３１を通じて入力された蒸発器温度と、メモリ４０から読み出した冷却温度Ｔ１とを比較して判定を行うものである。また比較判定部３２は、入力処理部３１を通じて入力された庫内温度と、冷却運転開始時点に入力処理部３１を通じて入力された庫内温度との温度差ΔＴを算出し、かかる温度差ΔＴとメモリ４０に記憶されている閾値ｔ０とを比較して判定を行うものである。
【００３６】
禁止判定部３３は、前回の除霜運転終了時点からの経過時間と、メモリ４０から読み出した禁止時間とを比較して禁止時間帯にあるか否かを判定するものである。
【００３７】
出力処理部３４は、圧縮機２１及び庫内送風ファンＦ１のそれぞれに対して駆動指令、あるいは駆動停止指令を与えてこれらを駆動若しくは駆動停止にさせるとともに、各電磁弁２７１，２７２，２７３に開指令、あるいは閉指令を与えてこれを開成若しくは閉成させるものである。
【００３８】
以上のような構成を有する冷却装置は、次のようにして商品収容庫３に収容された商品を冷却する。
【００３９】
ここではＣＣＣ運転（全ての商品収容庫３の内部空気を冷却する冷却運転）を行う場合について説明する。この場合、制御部３０は、入力処理部３１を通じて冷却運転開始時における各庫内温度を庫内温度センサＳ１より入力し、それぞれの庫内温度をメモリ４０に記憶させるとともに、図示せぬ時計（計時手段）により判定時間（例えば３０分間）の計測を開始する。そして、制御部３０は、出力処理部３４を通じて電磁弁２７１，２７２，２７３を開成させるとともに、圧縮機２１及び庫内送風ファンＦ１を駆動させる。
【００４０】
これにより圧縮機２１で圧縮されて吐出された冷媒は、放熱器２２に至り、該放熱器２２を通過中に周囲空気（外気）と熱交換を行って放熱する。放熱器２２で放熱した冷媒は、内部熱交換器２８を通じて膨張機構２３に至り、かかる膨張機構２３により断熱膨張される。膨張機構２３で断熱膨張された冷媒は、分配器２６で３つに分配され、各庫内熱交換器に至る。各庫内熱交換器に至った冷媒は、蒸発して商品収容庫３の内部空気から熱を奪い、該内部空気を冷却する。冷却された内部空気は、庫内送風ファンＦ１の駆動により内部を循環し、これにより各商品収容庫３に収容された商品は、循環する内部空気に冷却される。各庫内熱交換器で蒸発した冷媒は、合流点Ｐ１で合流した後、内部熱交換器２８を通じて圧縮機２１に吸引され、圧縮機２１に圧縮されて上述した循環を繰り返す。
【００４１】
このような制御部３０は、上記冷却運転を行ってから所定のタイムスケジュールにしたがって除霜運転制御処理を実施する。
【００４２】
図５は、制御部３０が実施する除霜運転制御処理の処理内容を示すフローチャートである。かかる処理内容を説明しながら本実施の形態である冷却装置の動作について説明する。
【００４３】
制御部３０は、冷却運転中であって冷却運転開始から現在時刻までの時間が判定時間（例えば３０分間）を経過している場合（ステップＳ１０１：Ｙｅｓ，ステップＳ１０２：Ｙｅｓ）、いずれかの蒸発器温度センサＳ２からの蒸発器温度信号の入力待ちとなる（ステップＳ１０３）。
【００４４】
そして、入力処理部３１を通じて蒸発器温度センサＳ２から蒸発器温度信号（蒸発器温度）を入力した場合（ステップＳ１０３：Ｙｅｓ）、制御部３０は、比較判定部３２を通じてメモリ４０から冷却温度Ｔ１を読み出し、蒸発器温度が冷却温度Ｔ１以下であるか否かを比較する（ステップＳ１０４）。
【００４５】
蒸発器温度が冷却温度Ｔ１以下でない場合（ステップＳ１０４：Ｎｏ）、制御部３０は、後述する処理を実施することなく手順をリターンさせて今回の除霜運転制御処理を終了する。このようにして除霜運転制御処理を終了させた場合には、蒸発器２４は、所定の時間（判定時間）を経過しても冷却温度Ｔ１（例えば−５℃）以下となっていないから何らかの不具合が生じているものとして、制御部３０は、自販機制御部に所定の信号を与えることで、蒸発器２４に不具合が生じている旨を伝達する。これにより自販機制御部は、警告音や警告表示等により蒸発器２４に不具合が生じている旨を報知する。
【００４６】
蒸発器温度が冷却温度Ｔ１以下となる場合（ステップＳ１０４：Ｙｅｓ）、制御部３０は、比較判定部３２を通じて蒸発器２４が冷却機能を発揮するレベルにまで冷えているものと判定して、当該蒸発器２４が配設された商品収容庫３の庫内温度センサＳ１からの庫内温度信号の入力待ちとなる（ステップＳ１０５）。
【００４７】
入力処理部３１を通じて該当する庫内温度センサＳ１から庫内温度信号（庫内温度）を入力した場合（ステップＳ１０５：Ｙｅｓ）、制御部３０は、比較判定部３２を通じてメモリ４０から冷却運転開始時点における庫内温度を読み出し、入力処理部３１を通じて入力された庫内温度と、冷却運転開始時点の庫内温度との温度差ΔＴを算出し、温度差ΔＴがメモリ４０から読み出した閾値ｔ０以下であるか否かを比較する（ステップＳ１０６，ステップＳ１０７）。
【００４８】
温度差ΔＴが閾値ｔ０以下でないと判定した場合（ステップＳ１０７：Ｎｏ）、すなわち温度差ΔＴが閾値ｔ０を超えている場合、制御部３０は、冷却運転により商品収容庫３の内部空気が良好に冷却されているものとして、後述する処理を実施することなく手順をリターンさせて今回の除霜運転制御処理を終了する。
【００４９】
温度差ΔＴが閾値ｔ０以下であると判定した場合（ステップＳ１０７：Ｙｅｓ）、制御部３０は、禁止判定部３３を通じて前回の除霜運転終了時点からの経過時間と、メモリ４０から読み出した禁止時間とを比較して経過時間が禁止時間帯にあるか否かを判定、すなわち前回の除霜運転終了時点からの時間が禁止時間を経過したか否かを判定する（ステップＳ１０８）。
【００５０】
禁止時間を経過していない場合（ステップＳ１０８：Ｎｏ）、制御部３０は、後述する処理を実施することなく手順をリターンさせて今回の除霜運転制御処理を終了する。
【００５１】
一方、禁止時間を経過している場合（ステップＳ１０８：Ｙｅｓ）、制御部３０は、経過時間の計測を終了して、すべての商品収容庫３について除霜運転を行う（ステップＳ１０９，ステップＳ１１０）。
【００５２】
ここで除霜運転は、制御部３０が、出力処理部３４を通じてすべての電磁弁２７１，２７２，２７３に閉指令を与えて電磁弁２７１，２７２，２７３を閉成させるとともに、出力処理部３４を通じて圧縮機２１に駆動停止指令を与えて該圧縮機２１を駆動停止にさせる。また、制御部３０は、出力処理部３４を通じてすべての庫内送風ファンＦ１に対して駆動指令を与えて庫内送風ファンＦ１の駆動を継続させる。これにより、各商品収容庫３における蒸発器２４に付着した霜は、庫内温度の上昇とともに徐々に融解することとなる。
【００５３】
そして、詳細な説明は割愛するが、予め決められた除霜運転の終了要件（除霜時間の経過、あるいは各庫内温度が除霜終了温度を超える等）を具備することを条件に、制御部３０は、除霜運転を終了し（ステップＳ１１１）、図示せぬ時計により経過時間の計測を開始して（ステップＳ１１２）、手順をリターンさせて今回の除霜運転制御処理を終了する。
【００５４】
以上説明したように本実施の形態である自動販売機の冷却装置によれば、制御部３０が、冷却運転中において、蒸発器温度センサＳ２により検出される蒸発器温度が冷却温度Ｔ１以下であって、判定時間経過後における庫内温度差ΔＴが閾値ｔ０以下となる場合に、圧縮機２１の駆動を停止させて蒸発器２４の除霜運転を行うので、蒸発器２４が良好に冷えていても庫内温度が十分に低下しない状態に限り除霜運転を行うこととなる。つまり、電磁弁２７１，２７２，２７３等の不具合等により蒸発器２４が良好に冷却されていないことにより庫内温度が低下しないような蒸発器２４の着霜とは無関係の状態で着霜運転を行うことがない。また従来のように所定時間毎に除霜運転を強制的に行う場合に比して必要とされる場合に除霜運転を行うことで、不要な除霜運転による庫内温度の上昇を抑制し、消費電力を低下させることができる。従って、着霜を良好に判定し、かつ消費電力量の低減化を図ることができる。
【００５５】
また、上記冷却装置によれば、前回の除霜運転終了時点から禁止時間を経過していない場合には、除霜運転を行うことを禁止するので、一旦除霜運転を行った後は所定の一定時間は再除霜運転が禁止され、庫内温度センサＳ１等のセンシング異常等で庫内温度が変化しないと判断された場合に延々と除霜運転が行われることを防止することができる。
【００５６】
以上、本発明の好適な実施の形態について説明したが、本発明はこれに限定されるものではなく、種々の変更を行うことができる。
【００５７】
上述した実施の形態では、除霜運転を行う場合として電磁弁２７１，２７２，２７３を閉成させて圧縮機２１を駆動停止にして庫内送風ファンＦ１を駆動させたが、本発明においては、必要に応じてヒータＨを駆動させて除霜運転を行うようにしても良い。これによれば、庫内温度が上昇して蒸発器２４に付着した霜を早期に除去することが可能になる。
【００５８】
上述した実施の形態では、禁止時間の経過を条件としてすべての商品収容庫３の蒸発器２４の除霜運転を行うようにしたが、本発明においては、予め除霜禁止時間等が設定されている場合には、該当する商品収容庫３の蒸発器２４のみ除霜運転を行うようにしても良い。
【符号の説明】
【００５９】
１  本体キャビネット
３  商品収容庫
６  商品収納ラック
２０  冷媒回路
２１  圧縮機
２２  放熱器
２３  膨張機構
２４  蒸発器
２５  冷媒配管
２７１  電磁弁
２７２  電磁弁
２７３  電磁弁
３０  制御部
３１  入力処理部
３２  比較判定部
３３  禁止判定部
３４  出力処理部
４０  メモリ
Ｆ１  庫内送風ファン
Ｓ１  庫内温度センサ
Ｓ２  蒸発器温度センサ
【図１】
2014085791.tif 000003
【図２】
2014085791.tif 000004
【図３】
2014085791.tif 000005
【図４】
2014085791.tif 000006
【図５】
2014085791.tif 000007